(57)【要約】【課題】本発明に係わる従来の衣類展示回収治具は、衣類用棒体と枠体が分離されており、衣類を取付けた衣類用棒体を枠体に係止するには、複数個所ある係止部との位置合わせを行う必要があり、障害を持たれた人でも容易に係止できる様にする必要がある。【解決手段】従来の衣類展示回収冶具において、枠体１、係止部Ａ５、及び衣類用棒体１１、に１個以上の連結部となる突起、溝、穴、又はピンを設け、前記係止部Ａ５と、前記衣類用棒体１１を前記連結部で連結し、前記連結された係止部Ａ５と衣類用棒体１１を、前記枠体１の連結部に１個以上取付ける事で、衣類用棒体１１を予め枠体１に取付けておく事を可能とする特徴をもつ衣類牽下具を用いる事で、衣類の挟持を容易にする。【選択図】図２
2014061054.tif 000002
【特許請求の範囲】
【請求項１】
衣類が取付けられる衣類用棒体、又は衣類用帯状のもの何れかと、前記衣類用棒体、又は衣類用帯状のもの何れかが係止できる複数の係止部を取付けた枠体と、前記枠体に１本以上取付けられている枠体用棒体を備えた衣類展示回収治具において、１個以上の連結部を、前記枠体、前記係止部、及び前記衣類用棒体、又は衣類用帯状のもの何れかに取付け構成し、前記１個以上の連結部を有した枠体に、前記１個以上の連結部を有した衣類用棒体、又は衣類用帯状のもの何れかと、前記１個以上の連結部を有した係止部の、両方、又は一方を１個以上取付け構成する事で、前記１個以上の連結部を有した衣類用棒体、又は衣類用帯状のもの何れかが、前記枠体に予め取りつける事を可能とした特徴を持つ衣類牽下具。
【発明の詳細な説明】
【技術分野】
【０００１】
本発明は、衣類牽下具の係止部に係止する衣類用棒体、又は衣類用帯状のものが、枠体の係止部へ障害者の方でも容易に係止できる様に、係止部、枠体、及び前記衣類用棒体、又は衣類用帯状のものを改良したものである。
【背景技術】
【０００２】
従来、衣類を屋外に干す作業には洗濯バサミを用いているが、手の不自由な方々には、不都合な面が多々ある。
【０００３】
前記不自由な面を解決する治具のひとつとして、衣類展示回収治具がある。前記衣類展示回収治具の特徴は、衣類が取り付けられる衣類用棒体、又は衣類用帯状のもの（以下衣類用棒体と略す。）と、前記衣類用棒体が係止できる係止部を複数有した枠体と、前記枠体に取り付けてある枠体用棒体、又は枠体用帯状のもので構成され、前記衣類用棒体に衣類を取付け係止部に係止する事で、係止中継続して前記枠体用棒体、又は枠体用帯状のもので衣類を継続挟持する事で、洗濯バサミを用いない衣類牽下具である。
【０００４】
前記衣類展示回収治具は、挟持した衣類、例えばタオル、シャツ、下着、ハンカチを屋外に干しても、風による落下がない事も特徴である。
【先行技術文献】
【特許文献】
【０００５】
【特許文献１】特願：２０１１−２１２４５１号公報
【発明の概要】
【発明が解決しようとする課題】
【０００６】
本発明は、特願２０１１−２１２４５１号に記載している衣類展示回収治具に用いる衣類用棒体の係止する実施形態を、障害者の方でもできる様により簡素化するものである。
【０００７】
前記衣類展示回収治具の実施形態は、第１に衣類を手に取り、第２に衣類用棒体をもう一方の手で取り、第３に前記衣類を前記衣類用棒体に取付け、最後に衣類用棒体を持って複数の係止部へ係止する事で枠体用棒体等に挟持される。以上述べた実施形態は主に４つに分割できる。
【０００８】
特に最後の複数の係止部へ係止する実施形態は、両端にある衣類用棒体の係止される部分と係止部の、双方を位置確認の為に近づける必要があり、これは、計４個以上の部位を目視確認しながら係止を行っている。
【０００９】
本発明が解決しようとする課題は、衣類用棒体を、枠体の係止部に係止する動作回数の軽減、手に取る動作の削減、及び前記目視確認部位の軽減、の３つである。
【００１０】
本発明は前記３つの課題解決の為に、前記衣類用棒体の係止部へ係止する動作を１回、棒体を取る動作を無くす事、及び係止する際の前記確認部位個数の軽減をする事を目的とする。
【課題を解決するための手段】
【００１１】
本発明の観点は、衣類を取付けた衣類用棒体が、１個以上係止できる複数の係止部を有した枠体と、前記枠体に１個以上備えられている枠体用棒体等で衣類を継続して挟持する事を特徴とする衣類展示回収治具において、前記枠体、前記係止部と、前記衣類用棒体に１個以上の連結部となる突起、溝、穴、又はピンを設け、前記連結部を取付けた前記係止部と、前記連結部を取付けた衣類用棒体を連結し、前記連結部を有した枠体に１個以上取付ける事で、衣類用棒体を、枠体に予め取付けておく事を特徴とする衣類牽下具を用いる事で目的を達成する。
【００１２】
連結部とは、電線加工の端末処理で用いる俗称、ハウジングと同じ機能を保持したものであり、前記ハウジングの連結は、メス型の中にオス型が入り、オス型又はメス型の有した突起が、メス型、又はオス型の穴、又は溝、に入る事で引っかかり、抜けなくなる構造を有しており、本発明も同じ引っかかる構造を用いている。
【００１３】
本発明の連結も、メス型の中にオス型が入る事で、例えば穴、又は溝を有したメス型の連結部に、突起を有したオス型の連結部を挿入し、挿入後前記オス型の突起が、前記メス型の穴、又は溝に入り、引っかかり外れない連結された構造、或いは、連結部となる穴を有したオス型に、相手方のメス型の連結部が有しているピン、又は突起が、前記オス型の穴に挿入され、前記ピン、又は突起が引っかかり抜けない構造で連結を維持している状態である。
【００１４】
本発明の連結と、電線加工の端末処理で用いるハウジングの違いは、本発明は電気的接続を要求しないが、連結部では引っかかり、ぬけない構造以外に、回転と言う円運動をする機能がある事である。
【００１５】
前記係止部Ａ５に連結された衣類用棒体１１は、係止部Ａ５の有した連結部の１個以上の突起、溝、ピン、又は穴が、衣類用棒体１１の連結される部分１３に備えた係止される部分の突起、溝、ピン、又は穴に挿入される事で連結され、連結が継続されている状態にある。つまり衣類用棒体１１は予め係止部Ａ５に取付けられている状態を維持している。図２は、係止部Ａ５のピン１０が、衣類用棒体１１の係止される部分の穴１２に挿入され、連結されている状態である。
【００１６】
前記予め取付けられている衣類用棒体１１は、図２で言えば、ピン１０を中心に枠体に対し垂直方向の円運動が可能となり、前記円運動範囲制御は、衣類用棒体１１と係止部の一部９との接触の位置で可能となる。
【００１７】
前記衣類用棒体１１を予め取付けている係止部Ａ５の別の１個以上の突起、溝、ピン、又は穴が、枠体１に備えられている1個以上の連結部の枠体の突起、穴、溝、又はピンで連結される。図２の場合は、枠体１の枠体の穴１４に、係止部Ａ５の連結部の突起７が挿入され、前記突起７が前記枠体の穴１４引っかかる事で脱落が防止され連結が継続されている。
【００１８】
図２において前記衣類用棒体１１は、枠体の穴１４を中心に枠体１に対して平行に回る事ができ、更に上下方向へもピン１０を中心に運動する事が可能となっている。
【００１９】
本発明に用いる各連結部の突起とピンは、相手方の連結部の穴又は溝に入る事が可能な大きさであり、前記突起,ピン、溝、及び穴共に連結が外れる事がない強度を有している。
【００２０】
枠体１に、連結部の枠体の穴１４と、係止部Ａ５の連結部の突起７を露出させたくない場合は、前記枠体１内部に前記係止部Ａ５が有している連結部の突起７が十分に入る連結部となる溝を設ける事で対応は可能である。図６と図７は、溝１８を枠体１内に設けた参考図である。
【発明の効果】
【００２１】
本発明の衣類牽下具の効果として、衣類用棒体１１が、係止部Ａ５に予め取付けられている為に、係止動作が少なくとも１個なくなり、係止動作が軽減される事と、衣類用棒体を手に取る動作が無くなる事の２つが可能となり、左右何れか一方の手は空いている事になる。
【００２２】
更に３つ目の効果として、予め取付けられている衣類用棒体１１は、係止部Ｂ１７より外される事で向きが変えられる。つまり係止部Ｂ１７より外されると、予め取付けられている係止部Ａ５を中心に衣類用棒体１１が動くことにより、衣類取付け後の衣類用棒体の係止部Ｂ１７迄のル−トは、係止部Ａ５を中心とした軌跡を描きながら係止部Ｂ１７へ係止される為に位置確認の部位は係止部Ｂ１７の１部位となり、半分以下になる。
【００２３】
前記効果は、手や腕、足、或いは目に障害を持った方、或いは怪我をされたでも、片手で衣類を干す事が容易になる事である。
【図面の簡単な説明】
【００２４】
【図１】全体図
【図２】枠体と衣類用棒体関係拡大側面図
【図３】枠体と衣類用棒体関係拡大平面図
【図４】枠体と衣類用棒体連結部拡大正面図
【図５】分解図
【図６】溝、突起が露出しない枠体図
【図７】図６の右側面図
【発明を実施するための形態】
【００２５】
予め衣類用棒体１１を連結する係止部Ａ５に、衣類用棒体１１を取付ける迄の手順の説明として、図５を参考にして説明をする。図５は、衣類用棒体１１と係止部Ａ５、及び係止部Ａ５と枠体１の連結をする前の状態図である。係止部Ａ５は、衣類用棒体１１を連結するだけではなく、枠体１にも連結できる連結部の突起７を保持している。
【００２６】
本発明のメス型とオス型の連結は、突起と溝、突起と穴、或いはピンと穴、ピンと溝の組合せであればどの様な組み合わせも可能で、例えば衣類用棒体と枠体を直接連結する事も可能であり、又衣類用棒体を複数連結する事も可能である。
【００２７】
衣類用棒体１１の連結される部分１３に有る係止される部分の穴１２を、係止部Ａ５にある連結部の挿入穴８に位置を合わせ、次にピン１０を前記挿入穴８より前記係止される部分の穴１２に入れ、貫通させ、その後再び反対側の挿入穴８にピン１０を入れる。挿入穴８とピン１０は溶接する、或いはピン１０を挿入穴８に圧入する事で、ピン１０が抜けなくなる。
【００２８】
次に、前記係止部Ａ５が有する連結部の突起７を、枠体１の有する連結部の枠体の穴１４に挿入する。係止部Ａ５に有る連結部の突起７は、前記突起７の背面が切削され、ザクリ１６状態の為に、縮まりながら前記枠体１の連結部の枠体の穴１４に入り、その後元の形状に復帰する。と同時に、枠体１に引っかかり、脱落の防止がされ連結が継続される。つまり傘が閉じた状態で穴の中に入り、穴から出たら再び傘が広がり、傘の淵が引っかかっている状態となる。
【００２９】
予め係止部Ａ５に取付けられた衣類用棒体１１は、係止部Ａ５の突起７が枠体１の連結部の枠体の穴１４で連結される事で、枠体１に対して平行と垂直方向の運動がきる事になる。
【００３０】
前記枠体１に対して平行方向の運動に制御を必要とする場合は、枠体１が有している連結部の枠体の穴１４の周囲に、前記衣類用棒体１１の連結部の突起７の回転が十分に収まる切削部６を設け、前記切削部６内に段差１５を設ける事で、前記突起７と段差１５が接触する事で運動が制御できる。図５参照。
【００３１】
次に衣類４を衣類用棒体１１に取付け、枠体１の従来の係止部Ｂ１７に係止する迄の形態を説明する。従来の係止部Ｂ１７とは、Ｕ字型、Ｖ字型、又はコの字型をし、前記枠体１に１個以上取付けられ、本発明の衣類用棒体１１が容易に取り外しできる従来の係止部である。
【００３２】
洗濯後の衣類４を握り持つようにして掴む。
【００３３】
前記衣類４を握った手の甲、又は指等で、枠体１に係止中の衣類用棒体１１を、係止部Ｂ１７より外し、前記衣類用棒体１１の長手方向の軸を、自分の方向に向ける。
【００３４】
衣類４を衣類用棒体１１に取付ける為に、握った手の中指部分の下に前記衣類用棒体１１がくる様にして衣類４を取付け、次に前記衣類４を手から離す。衣類４が濡れている事で、衣類用棒体１１との摩擦が大きく前記衣類４は落下しない。
【００３５】
前記衣類４を取付けた前記衣類用棒体１１を、前記枠体１の従来の係止部Ｂ１７に係止する。係止すると同時に衣類は枠体用棒体、又は枠体用帯状のもの３何れかと継続して挟持される。
【００３６】
衣類の乾燥が確認できたら、衣類を前記衣類用棒体より外して回収する。
【００３７】
本発明で用いている枠体用帯状のもの、及び衣類用帯状のものとは、伸縮性のある材質、例えばゴム、又はスプリング等を１個以上取付けたもので構成されたものである。
【符号の説明】
【００３８】
１枠体
２腕
３枠体用棒体
４衣類
５係止部Ａ
６切削部
７突起
８挿入穴
９係止部の一部
１０ピン
１１衣類用棒体
１２係止される部分の穴
１３連結される部分
１４枠体の穴
１５枠体の段差
１６ザグリ
１７係止部Ｂ
１８溝
１９分割線
【図１】
2014061054.tif 000003
【図２】
2014061054.tif 000004
【図３】
2014061054.tif 000005
【図４】
2014061054.tif 000006
【図５】
2014061054.tif 000007
【図６】
2014061054.tif 000008
【図７】
2014061054.tif 000009